(57)【要約】  ルネベルグアンテナ装置（１）は、誘電体レンズ（２）と、アレーアンテナ（１０）とを備えている。誘電体レンズ（２）は、径方向に対して異なる誘電率の分布を有する複数の円板状部材（３）を積層することによって形成されている。円板状部材（３）は、径方向内側部位（４Ａ）の厚さ寸法よりも径方向外側部位（４Ｂ）の厚さ寸法が小さい板部（４）と、板部（４）の中央部分から径方向外側に向けて放射状に延び径方向内側部位（９Ａ）の厚さ寸法と径方向外側部位（９Ｂ）の厚さ寸法が同じフィン部（９）とを備えている。
2019003939.tif 000002
【特許請求の範囲】
【請求項１】
径方向に対して異なる誘電率の分布を有する複数の円板状部材を積層した誘電体レンズであって、
前記円板状部材は、径方向内側部位の厚さ寸法よりも径方向外側部位の厚さ寸法が小さい板部と、前記板部の中央部分から径方向外側に向けて放射状に延び径方向内側部位の厚さ寸法と径方向外側部位の厚さ寸法が同じフィン部とを備えてなる誘電体レンズ。
【請求項２】
前記フィン部は、径方向の途中部位に位置して厚さ寸法が小さい複数の凹部と、前記凹部を除いた部位で厚さ寸法が大きい複数の凸部と、を備え、
前記凹部の径方向の長さ寸法は、使用される電波の波長の１／４よりも小さい値に設定され、
前記凸部の径方向の長さ寸法は、使用される電波の波長の１／４よりも小さい値に設定されてなる請求項１に記載の誘電体レンズ。
【請求項３】
複数の前記円板状部材は、互いに同じ外径寸法を有し、円柱状に積層されてなる請求項１に記載の誘電体レンズ。
【発明の詳細な説明】
【技術分野】
【０００１】
本発明は、例えばミリ波等のような高周波の電波を集光する誘電体レンズに関する。
【背景技術】
【０００２】
誘電体レンズとして、誘電体材料からなる円板を複数積層したものが知られている（例えば、非特許文献１参照）。非特許文献１に記載された誘電体レンズでは、円板に多数の穴を形成し、内径側部位に比べて外径側部位で穴の密度を高めている。これにより、円板は、径方向に対する誘電率の分布を有している。
【先行技術文献】
【非特許文献】
【０００３】
【非特許文献１】S.Rondineau, M.Himidi, J.Sorieux,“A Sliced Spherical Luneburg Lens”, IEEE Antennas and Wireless Propagat. Lett., vol.2, 2003
【発明の概要】
【０００４】
ところで、非特許文献１に記載された誘電体レンズでは、適切な誘電率の分布を得るためには、例えば数百から数千の穴を円板に形成する必要がある。これらの穴をドリル加工で作製する場合には、加工時間が長くなり、生産性が低いという問題がある。また、外径側で誘電率を低下させるために、円板の外周付近で穴の密度が高くなっている。このため、例えば円板を射出成形する場合には、外周側に位置する多数の穴によって樹脂の流れが悪くなり、成形が難しいという問題がある。
【０００５】
本発明は上述した従来技術の問題に鑑みなされたもので、本発明の目的は、量産性に優れた誘電体レンズを提供することにある。
【０００６】
上述した課題を解決するために、本発明は、径方向に対して異なる誘電率の分布を有する複数の円板状部材を積層した誘電体レンズであって、前記円板状部材は、径方向内側部位の厚さ寸法よりも径方向外側部位の厚さ寸法が小さい板部と、前記板部の中央部分から径方向外側に向けて放射状に延び径方向内側部位の厚さ寸法と径方向外側部位の厚さ寸法が同じフィン部とを備えている。
【０００７】
本発明によれば、量産性に優れた誘電体レンズを提供することができる。
【図面の簡単な説明】
【０００８】
【図１】第１の実施の形態によるルネベルグレンズアンテナ装置を示す斜視図である。
【図２】図１中のルネベルグレンズアンテナ装置を示す平面図である。
【図３】図１中の誘電体レンズを示す斜視図である。
【図４】図３中の円板状部材を拡大して示す斜視図である。
【図５】図４中の円板状部材を示す平面図である。
【図６】円板状部材を図５中の矢示VI−VI方向からみた断面図である。
【図７】図６中の円板状部材の一部を拡大して示す断面図である。
【図８】周方向一側のパッチアンテナによってビームを放射した状態を示す説明図である。
【図９】周方向中央側のパッチアンテナによってビームを放射した状態を示す説明図である。
【図１０】周方向他側のパッチアンテナによってビームを放射した状態を示す説明図である。
【図１１】ルネベルグレンズアンテナ装置の電磁界シミュレーション結果を示す放射パターン図である。
【図１２】第２の実施の形態によるルネベルグレンズアンテナ装置を示す平面図である。
【図１３】第２の実施の形態による円板状部材を示す図６と同様な位置の断面図である。
【図１４】図１３中の円板状部材の一部を拡大して示す断面図である。
【図１５】第１の変形例による円板状部材を示す図６と同様な位置の断面図である。
【図１６】第２の変形例による円板状部材を示す図６と同様な位置の断面図である。
【図１７】第３の変形例による誘電体レンズを示す斜視図である。
【発明を実施するための形態】
【０００９】
以下、本発明の実施の形態による誘電体レンズをルネベルグレンズアンテナ装置に適用した場合を例に挙げて、添付図面を参照しつつ詳細に説明する。
【００１０】
図１ないし図１０に、第１の実施の形態によるルネベルグレンズアンテナ装置１（以下、アンテナ装置１という）を示す。アンテナ装置１は、誘電体レンズ２と、アレーアンテナ１０とを備えている。
【００１１】
誘電体レンズ２は、径方向に対して異なる誘電率の分布を有する円柱状に形成されている。図３ないし図７に示すように、誘電体レンズ２は、径方向に対して異なる誘電率の分布を有する複数の円板状部材３を積層することによって形成されている。円板状部材３は、射出成形が可能で、比誘電率が２に近い樹脂材料（例えば、ポリプロピレン等）によって一体的に形成されている。複数の円板状部材３は、互いに同じ外径寸法を有し、円柱状に積層されている。
【００１２】
図７に示すように、円板状部材３は、径方向内側部位４Ａの厚さ寸法Ｔp1よりも径方向外側部位４Ｂの厚さ寸法Ｔp4が小さい板部４と、板部４の中央部分から径方向外側に向けて放射状に延び径方向内側部位９Ａの厚さ寸法Ｔf1と径方向外側部位９Ｂの厚さ寸法Ｔf2が同じフィン部９とを備えている。
【００１３】
具体的には、板部４は、厚さ寸法Ｔp1〜Ｔp4が互いに異なる４つの円板部位５〜８を備えている。円板部位５〜８は、径方向の内側から外側に向けて同心円上に配置され、その厚さ寸法Ｔp1〜Ｔp4が徐々に小さくなっている。
【００１４】
このため、第１の円板部位５は、円板状部材３の中央部位であって最内径側に位置し、円板部位５〜８の中で最も大きな厚さ寸法Ｔp1を有している。第２の円板部位６は、第１の円板部位５を取囲んで第１の円板部位５の径方向外側に隣接した状態で設けられている。第２の円板部位６の厚さ寸法Ｔp2は、第１の円板部位５の厚さ寸法Ｔp1よりも小さくなっている（Ｔp2＜Ｔp1）。第３の円板部位７は、第２の円板部位６を取囲んで第２の円板部位６の径方向外側に隣接した状態で設けられている。第３の円板部位７の厚さ寸法Ｔp3は、第２の円板部位６の厚さ寸法Ｔp2よりも小さくなっている（Ｔp3＜Ｔp2）。第４の円板部位８は、第３の円板部位７を取囲んで第３の円板部位７の径方向外側に隣接した状態で設けられている。第４の円板部位８の厚さ寸法Ｔp4は、第３の円板部位７の厚さ寸法Ｔp3よりも小さくなっている（Ｔp4＜Ｔp3）。このとき、第４の円板部位８は、円板状部材３の外周縁部位であって最外径側に位置し、円板部位５〜８の中で最も小さな厚さ寸法Ｔp4を有している。
【００１５】
また、円板部位５〜８の裏面（底面）は、互いに共通した単一の平坦面となっている。一方、円板部位５〜８の表面（上面）は、高さ位置が互いに異なり、環状段差面となっている。
【００１６】
フィン部９は、板部４の中心（中心軸Ｃ）から径方向に伸長している。フィン部９は、幅寸法が小さい薄板状に形成され、第２〜第４の円板部位６〜８の表面から突出した状態で立設されている。フィン部９は、径方向に延びる全長に亘って厚さ寸法が一定になっている。これにより、フィン部９の径方向内側部位９Ａの厚さ寸法Ｔf1と径方向外側部位９Ｂの厚さ寸法Ｔf2とは同じ値になっている。これに加え、フィン部９の厚さ寸法Ｔf1，Ｔf2は、板部４の径方向内側部位４Ａの厚さ寸法Ｔp1と同じ値になっている。
【００１７】
誘電体レンズ２は、複数の円板状部材３が積層されることによって、円柱状に形成されている。このとき、軸方向で隣合う２つの円板状部材３では、一方の円板状部材３のフィン部９の突出端が、他方の円板状部材３の底面に接触する。このため、２つの円板状部材３の間には、板部４の径方向外側部位４Ｂに位置して、空隙が形成される。厚さ方向に対する空隙の寸法は、径方向内側部位４Ａに比べて径方向外側部位４Ｂで大きくなる。従って、誘電体レンズ２は、外周に近付くに従って、誘電体密度が低下し、実効的な誘電率が下がる。そこで、円板部位５〜８の厚さ寸法や径方向の大きさを適宜調整することによって、誘電体レンズ２は、半径寸法ｒに対して、数１の式に近似した誘電率分布（実効比誘電率εr_eff（r）の分布）を有する。この結果、誘電体レンズ２は、ルネベルグレンズ（電波レンズ）として動作する。これにより、誘電体レンズ２は、所定の周波数の電磁波に対して、その外周面側で周方向の異なる位置に複数の焦点を有する。
【００１８】
【数１】
2019003939.tif 000003
【００１９】
アレーアンテナ１０は、複数（例えば１２個）のパッチアンテナ１１Ａ〜１１Ｃと、給電電極１３Ａ〜１３Ｃと、グランド電極１４とを備えている。
【００２０】
１２個のパッチアンテナ１１Ａ〜１１Ｃは、誘電体レンズ２の外周面２Ａに取り付けられている。これらのパッチアンテナ１１Ａ〜１１Ｃは、周方向と軸方向の異なる位置に行列状（４行３列）に配置されている。パッチアンテナ１１Ａ〜１１Ｃは、例えば誘電体レンズ２の周方向および軸方向に広がった長方形状の導体膜（金属膜）によって形成され、給電電極１３Ａ〜１３Ｃに接続されている。パッチアンテナ１１Ａ〜１１Ｃは、給電電極１３Ａ〜１３Ｃからの高周波信号の供給によって、アンテナ素子（放射素子）として機能する。これにより、パッチアンテナ１１Ａ〜１１Ｃは、例えばその長さ寸法等に応じて、例えばサブミリ波やミリ波等の高周波信号を送信または受信することができる。
【００２１】
パッチアンテナ１１Ａと、パッチアンテナ１１Ｂと、パッチアンテナ１１Ｃとは、互いに列が異なると共に、互いに独立して高周波信号の送信または受信が可能である。また、パッチアンテナ１１Ａ〜１１Ｃは、例えば周方向に等間隔に並んで配置されている。
【００２２】
このため、図８ないし図１０に示すように、パッチアンテナ１１Ａ〜１１Ｃは、誘電体レンズ２の中心軸Ｃを挟んで反対側に向けて指向性をもったビームを形成する。このとき、パッチアンテナ１１Ａ〜１１Ｃは、誘電体レンズ２の周方向で互いに異なる位置に配置されている。このため、パッチアンテナ１１Ａ〜１１Ｃによるビームの放射方向は、互いに異なっている。
【００２３】
図１および図２に示すように、誘電体レンズ２の外周面２Ａには、全てのパッチアンテナ１１Ａ〜１１Ｃを覆って絶縁層１２が設けられている。絶縁層１２は、円筒状の被覆部材によって形成され、例えば誘電体レンズ２の外周面２Ａにパッチアンテナ１１Ａ〜１１Ｃを密着形成する接着層を含んでいる。
【００２４】
給電電極１３Ａ〜１３Ｃは、細長い導体膜によって形成されている。給電電極１３Ａ〜１３Ｃは、パッチアンテナ１１Ａ〜１１Ｃと一緒に、誘電体レンズ２の外周面２Ａに設けられ、絶縁層１２によって覆われている。給電電極１３Ａは、４個のパッチアンテナ１１Ａに沿って軸方向に延び、４個のパッチアンテナ１１Ａに接続されている。給電電極１３Ｂは、４個のパッチアンテナ１１Ｂに沿って軸方向に延び、４個のパッチアンテナ１１Ｂに接続されている。給電電極１３Ｃは、４個のパッチアンテナ１１Ｃに沿って軸方向に延び、４個のパッチアンテナ１１Ｃに接続されている。給電電極１３Ａ〜１３Ｃの基端は、送受信回路（図示せず）に接続されている。
【００２５】
グランド電極１４は、絶縁層１２の外周面に設けられている。グランド電極１４は、誘電体レンズ２の周方向および軸方向に広がった長方形状の導体膜（金属膜）によって形成され、全てのパッチアンテナ１１Ａ〜１１Ｃを覆っている。グランド電極１４は、外部のグランドに接続され、グランド電位に保持されている。これにより、グランド電極１４は、誘電体レンズ２の中心軸Ｃに対して例えば９０度以下の角度範囲をもって形成され、反射器として機能する。
【００２６】
なお、本実施の形態では、アレーアンテナ１０はアンテナ素子としてパッチアンテナ１１Ａ〜１１Ｃを用いた場合を例に挙げて説明したが、パッチアンテナに限定するものではない。例えばアンテナ素子としてスロットアンテナを用いたスロットアレーアンテナ等であってもよい。
【００２７】
次に、本実施の形態によるアンテナ装置１の作動について、図８ないし図１０を参照しつつ説明する。
【００２８】
給電電極１３Ａからパッチアンテナ１１Ａに向けて給電を行うと、パッチアンテナ１１Ａには、例えば軸方向に向けて電流が流れる。これにより、パッチアンテナ１１Ａは、軸方向の寸法に応じた高周波信号を、誘電体レンズ２に向けて放射する。この結果、図８に示すように、アンテナ装置１は、誘電体レンズ２の中心軸Ｃを挟んでパッチアンテナ１１Ａの反対側の方向Ｄaに向けて、高周波信号（ビーム）を放射することができる。また、アンテナ装置１は、パッチアンテナ１１Ａを用いることによって、方向Ｄaから到来する高周波信号を受信することもできる。
【００２９】
同様に、図９に示すように、給電電極１３Ｂからパッチアンテナ１１Ｂに向けて給電したときには、アンテナ装置１は、誘電体レンズ２の中心軸Ｃを挟んでパッチアンテナ１１Ｂの反対側の方向Ｄbに向けて高周波信号を送信することができると共に、方向Ｄbからの高周波信号を受信することができる。
【００３０】
図１０に示すように、給電電極１３Ｃからパッチアンテナ１１Ｃに向けて給電したときには、アンテナ装置１は、誘電体レンズ２の中心軸Ｃを挟んでパッチアンテナ１１Ｃの反対側の方向Ｄcに向けて高周波信号を送信することができると共に、方向Ｄcからの高周波信号を受信することができる。
【００３１】
なお、パッチアンテナ１１Ａ〜１１Ｃには、軸方向の電流を流し、円板状部材３の厚さ方向と平行な偏波の電磁波を放射した場合について説明した。本発明はこれに限らず、パッチアンテナ１１Ａ〜１１Ｃには、周方向の電流を流し、円板状部材３の厚さ方向と直交した偏波の電磁波を放射してもよいし、円偏波等でもよい。
【００３２】
かくして、第１の実施の形態では、誘電体レンズ２は、複数の円板状部材３が円柱状に積層されることによって形成されている。円板状部材３は、径方向内側部位４Ａの厚さ寸法よりも径方向外側部位４Ｂの厚さ寸法が小さい板部４と、板部４の中央部分から径方向外側に向けて放射状に延び径方向内側部位９Ａの厚さ寸法と径方向外側部位９Ｂの厚さ寸法が同じフィン部９とを備えている。
【００３３】
このとき、軸方向で隣合う２つの円板状部材３では、一方の円板状部材３のフィン部９の突出端が、他方の円板状部材３の底面に接触する。このため、２つの円板状部材３の間には、板部４の径方向外側部位４Ｂに位置して、空隙が形成される。このとき、厚さ方向に対する空隙の寸法は、径方向内側部位４Ａに比べて径方向外側部位４Ｂで大きくなる。この結果、複数の円板状部材３を積層した誘電体レンズ２は、径方向内側に比べて径方向外側で実効的な誘電率が低下するから、ルネベルグレンズとして動作する。
【００３４】
７９ＧＨｚ帯においてレンズ半径１５ｍｍで計算した電磁界シミュレーションの結果を、図１１に示す。図１１に示すように、誘電体レンズ２を用いた場合には、誘電体レンズ２を用いない場合に比べて、アンテナ装置１の指向性のビーム波形が細くなり、アンテナ利得が約７ｄＢ向上している。
【００３５】
また、円板状部材３は、中心部から円周部に向けて厚みが薄くなる板部４と、厚み一定のフィン部９とによって構成されているから、射出成形が容易な構造となっている。このため、円板状部材３の大量生産が容易に可能であり、誘電体レンズ２の生産性を高めることができる。さらに、複数の円板状部材３は、互いに同じ外径寸法を有し、円柱状に積層されている。このため、円柱状のルネベルグレンズを形成することができる。
【００３６】
次に、図１２に、本発明の第２の実施の形態によるルネベルグレンズアンテナ装置２１（以下、アンテナ装置２１という）を示す。第２の実施の形態の特徴は、フィン部が、径方向の途中部位に位置して厚さ寸法が小さい複数の凹部と、凹部を除いた部位で厚さ寸法が大きい複数の凸部と、を備えたことにある。なお、アンテナ装置２１の説明に際し、第１の実施の形態によるアンテナ装置１と同一の構成については同一の符号を付し、その説明は省略する。
【００３７】
第２の実施の形態によるアンテナ装置２１は、第１の実施の形態によるアンテナ装置１とほぼ同様に構成される。このため、アンテナ装置２１は、誘電体レンズ２２と、アレーアンテナ１０とを備える。
【００３８】
第２の実施の形態による誘電体レンズ２２は、第１の実施の形態による誘電体レンズ２と同様に、径方向に対して異なる誘電率の分布を有する複数の円板状部材２３を積層することによって形成されている。図１３および図１４に示すように、円板状部材２３は、第１の実施の形態による円板状部材３とほぼ同様に形成されている。このため、円板状部材２３は、径方向内側部位４Ａの厚さ寸法よりも径方向外側部位４Ｂの厚さ寸法が小さい板部４と、板部４の中央部分から径方向外側に向けて放射状に延び径方向内側部位２４Ａの厚さ寸法Ｔf21と径方向外側部位２４Ｂの厚さ寸法Ｔf22が同じフィン部２４とを備えている。
【００３９】
但し、フィン部２４は、径方向の途中部位に位置して厚さ寸法が小さい複数の凹部２５と、凹部２５を除いた部位で厚さ寸法が大きい複数の凸部２６と、を備えている。この点で、第２の実施の形態によるフィン部２４は、第１の実施の形態によるフィン部９のように、径方向の全長に亘って厚さ寸法が一定になったものとは異なっている。凹部２５は、凸部２６に向けて斜めに傾斜し、凸部２６に近付くに従って厚さ寸法が連続的に増加したテーパ状に形成されている。これにより、凹部２５と凸部２６とは、径方向に沿って滑らかに接続されている。
【００４０】
凹部２５の径方向の長さ寸法Ｌ1は、使用される電波として、パッチアンテナ１１Ａ〜１１Ｃから放射される高周波信号の波長の１／４よりも小さい値に設定されている。また、凸部２６の径方向の長さ寸法Ｌ2は、使用される電波の波長の１／４よりも小さい値に設定されている。なお、複数の凹部２５は、その長さ寸法Ｌ1が互いに同じ値である必要はなく、互いに異なる値でもよい。同様に、複数の凸部２６は、その長さ寸法Ｌ2が互いに同じ値である必要はなく、互いに異なる値でもよい。
【００４１】
かくして、第２の実施の形態でも、第１の実施の形態と同様の作用効果を得ることができる。また、フィン部２４は、径方向の途中部位に位置して厚さ寸法が小さい複数の凹部２５と、凹部２５を除いた部位で厚さ寸法が大きい複数の凸部２６と、を備えている。このため、円板状部材２３の厚さ方向と平行な偏波に対する誘電体レンズ２２の実効誘電率と、円板状部材２３の厚さ方向と直交した偏波に対する誘電体レンズ２２の実効誘電率との間で、これらの差異を低下させることができる。この結果、誘電体レンズ２２の軸に平行な偏波に限らず、誘電体レンズ２２の軸に直交した偏波に対しても、所望な実効誘電率の分布を得ることができる。このため、誘電体レンズ２２の円柱軸に直交する偏波に対して、実効誘電率の制御が容易となる。また、凹部２５の径方向の長さ寸法Ｌ1と、凸部２６の径方向の長さ寸法Ｌ2とは、高周波信号の波長の１／４よりも小さい値に設定されている。このため、高周波信号に対して、凹部２５と凸部２６の不連続性を低減することができる。
【００４２】
なお、前記第１の実施の形態では、円板状部材３は、径方向に対して厚さ寸法が段階的（階段状）に減少した板部４を備える構成とした。本発明はこれに限らず、図１５に示す第１の変形例のように、円板状部材３１は、径方向に対して厚さ寸法が連続的に減少した板部３２を備える構成としてもよい。この構成は、第２の実施の形態にも適用することができる。
【００４３】
また、図１６に示す第２の変形例のように、円板状部材４１は、板部４の中心位置に貫通孔４２が形成されたものでもよい。この場合、複数の円板状部材４１を積み重ねた状態で、板部４と同じ誘電体材料からなる芯部材４３を貫通孔４２内に挿入する。この場合、複数の円板状部材４１の中心を、芯部材４３によって容易に位置合わせすることができる。この構成は、第２の実施の形態にも適用することができる。
【００４４】
さらに、前記第１の実施の形態では、互いに同じ外径寸法を有する円板状部材３を積層することによって、円柱状の誘電体レンズ２を形成するものとした。本発明はこれに限らず、図１７に示す第３の変形例のように、例えば円板状部材３と同様な複数の円板状部材５２を形成し、これらの円板状部材５２の外径寸法を互いに異ならせてもよい。異なる外径寸法を有する複数の円板状部材５２を積層することによって、球形状の誘電体レンズ５１を形成することができる。この構成は、第２の実施の形態にも適用することができる。
【００４５】
前記各実施の形態は例示であり、異なる実施の形態で示した構成の部分的な置換または組み合わせが可能であることは言うまでもない。
【００４６】
次に、上記の実施の形態に含まれる発明について記載する。本発明は、径方向に対して異なる誘電率の分布を有する複数の円板状部材を積層した誘電体レンズであって、前記円板状部材は、径方向内側部位の厚さ寸法よりも径方向外側部位の厚さ寸法が小さい板部と、前記板部の中央部分から径方向外側に向けて放射状に延び径方向内側部位の厚さ寸法と径方向外側部位の厚さ寸法が同じフィン部とを備えている。
【００４７】
このように構成したことにより、複数の円板状部材を積層したときには、フィン部によって径方向外側部位に空隙を形成することができる。このとき、厚さ方向に対する空隙の寸法は、径方向内側部位に比べて径方向外側部位で大きくなる。この結果、複数の円板状部材を積層した誘電体レンズは、径方向内側に比べて径方向外側で実効的な誘電率が低下するから、ルネベルグレンズとして動作する。また、円柱状部材には、多数の穴を形成する必要がなく、射出成形が容易である。このため、誘電体レンズの量産性を高めることができる。
【００４８】
本発明では、前記フィン部は、径方向の途中部位に位置して厚さ寸法が小さい複数の凹部と、前記凹部を除いた部位で厚さ寸法が大きい複数の凸部と、を備え、前記凹部の径方向の長さ寸法は、使用される電波の波長の１／４よりも小さい値に設定され、前記凸部の径方向の長さ寸法は、使用される電波の波長の１／４よりも小さい値に設定されている。
【００４９】
本発明によれば、フィン部は、径方向の途中部位に位置して厚さ寸法が小さい複数の凹部と、凹部を除いた部位で厚さ寸法が大きい複数の凸部と、を備えている。このため、円板状部材の厚さ方向と平行な偏波に対する誘電体レンズの実効誘電率と、円板状部材の厚さ方向と直交した偏波に対する誘電体レンズの実効誘電率との間で、これらの差異を低下させることができる。この結果、円板状部材の厚さ方向に平行な偏波に限らず、円板状部材の厚さ方向と直交した偏波に対しても、所望な実効誘電率の分布を得ることができる。また、凹部の径方向の長さ寸法と、凸部の径方向の長さ寸法とは、使用される電波の波長の１／４よりも小さい値に設定されている。このため、使用される電波に対して、凹部と凸部の不連続性を低減することができる。
【００５０】
本発明では、複数の前記円板状部材は、互いに同じ外径寸法を有し、円柱状に積層されている。このため、円柱状のルネベルグレンズを形成することができる。
【符号の説明】
【００５１】
１，２１  ルネベルグレンズアンテナ装置（アンテナ装置）
２，２２，５１  誘電体レンズ
３，２３，３１，４１，５２  円板状部材
４，３２  板部
９，２４  フィン部
２５  凹部
２６  凸部
１０  アレーアンテナ
【図１】
2019003939.tif 000004
【図２】
2019003939.tif 000005
【図３】
2019003939.tif 000006
【図４】
2019003939.tif 000007
【図５】
2019003939.tif 000008
【図６】
2019003939.tif 000009
【図７】
2019003939.tif 000010
【図８】
2019003939.tif 000011
【図９】
2019003939.tif 000012
【図１０】
2019003939.tif 000013
【図１１】
2019003939.tif 000014
【図１２】
2019003939.tif 000015
【図１３】
2019003939.tif 000016
【図１４】
2019003939.tif 000017
【図１５】
2019003939.tif 000018
【図１６】
2019003939.tif 000019
【図１７】
2019003939.tif 000020
【国際調査報告】
2019003939.tif 000021
2019003939.tif 000022